(57)【特許請求の範囲】
【請求項１】
基板に一以上の配線を備えた液晶表示パネルと、前記液晶表示パネルの対向する端部を保持する保持部を備えたハウジングとを具備する液晶表示装置において、
前記保持部近傍の、前記一以上の配線のうちの最も外側の配線と前記基板の縁との間隔は、前記保持部近傍以外の部分の前記間隔より大きいことを特徴とする、液晶表示装置。
【請求項２】
前記保持部近傍の前記間隔は、２ｍｍ以上かつ５ｍｍ以下である、請求項１記載の液晶表示装置。
【請求項３】
前記保持部近傍以外の部分における前記間隔は、２ｍｍ未満である、請求項１乃至２記載の液晶表示装置。
【請求項４】
前記液晶表示パネルの縁部には非表示領域が形成されており、前記最も外側の配線が該非表示領域に前記液晶表示パネルの端部に実質的に沿うように配設されている、請求項１記載の液晶表示装置。
【請求項５】
前記ハウジングは、金属により形成されている、請求項１記載の液晶表示装置。
【請求項６】
前記ハウジングは、薄板により形成されている、請求項５記載の液晶表示装置。
【発明の詳細な説明】
【技術分野】
【０００１】
本発明は、液晶表示パネルを搭載する液晶表示装置に関する。
【背景技術】
【０００２】
近年、ノート型パーソナルコンピュータやワードプロセッサ等の情報機器の画像表示装置、あるいは設置型および携帯型のテレビや、ビデオムービー、カーナビゲーションシステム等の映像機器の画像表示装置においては、小型、軽量、薄型、低消費電力という特徴を生かして、液晶表示装置が多く用いられるようになった。そして、これらの液晶表示装置に搭載される液晶表示パネルは、液晶表示装置の小型化と画像の高精細化を達成するために、複数の半導体素子を通常有しており、それらの半導体素子は、ｃｈｉｐ  ｏｎ  ｇｌａｓｓ方式（以下、ＣＯＧ方式）により実装されることが多い。
【０００３】
ＣＯＧ方式とは、基板上への半導体素子の実装方式の一種である。すなわち、ＣＯＧ方式が適用された液晶表示パネルでは、ソースドライバ及びゲートドライバ等の半導体素子が、液晶表示パネルを構成する基板の非表示領域に、異方導電性接着剤により、直接実装されている。この液晶表示パネルにおいては、半導体素子により処理された画像信号を表示領域に配設されたソース線（信号線）およびゲート線（走査線）ヘ送出するための配線が形成されている。また、半導体素子に画像信号を入力するための配線も形成されている。そして、これらの配線は、液晶表示パネルを構成する基板の非表示領域において、同一平面上に形成されている。このように構成された液晶表示パネルでは、外部から入力された画像信号が半導体素子に入力され、半導体素子により処理された画像信号はソース線及びゲート線へ送出される。その結果、液晶表示パネルの表示領域には、画像信号に応じた画像が表示される。
【０００４】
なお、これらの液晶表示装置においては、明るい表示画面を実現するために、内蔵した照明ユニットにより液晶表示パネルの背後から照明光を当てるという構成をとっているものが多い。そして、この照明ユニットには、導光板を液晶表示パネルの背面に配設して、その導光板の端面に蛍光放電管等の線光源を配設するエッジライト方式が好適に用いられている。その理由は、エッジライト方式は液晶表示装置の薄型化に有利であると共に、発光面の輝度均一性に優れるという特徴を有しており、ノート型パーソナルコンピュータ等に使用される液晶表示装置のバックライトとして最適であるからである。なお、携帯型テレビやカーナビゲーションシステム等に使用される液晶表示装置においては、携帯性や高輝度化等を考慮して、二本以上の蛍光放電管等を使用したエッジライト方式、または、Ｌ字型またはコの字型蛍光放電管等を使用したエッジライト方式を適用することが多い。
【０００５】
図４はＣＯＧ方式が適用された液晶表示パネルを有する従来の液晶表示装置の構成を示す平面図である。また、図５は図４のIV−IV線に沿った断面図である。ここで、図４は、フロントカバーを除去した状態を示している。なお、図４においては、Ｘ，Ｙ，Ｚ軸方向を図のように規定した。また、図５においては、便宜上、液晶表示装置の方向を図に示すように表した。
【０００６】
図４に例示した従来の液晶表示装置Ｌは、印加される画像信号に応じて画像を表示する矩形の液晶表示パネル１と、液晶表示パネル１をＸ，Ｙ，Ｚ軸方向に支持するハウジング４と、液晶表示パネル１に画像信号を伝送するフレキシブル配線板３とを備えて構成されている。
【０００７】
図４に示すように、液晶表示パネル１には、画像を表示する表示領域１ａが設けられている。また、表示領域１ａの外側の領域には、非表示領域１ｂが設けられている。そして、非表示領域１ｂにおける所定の位置には、液晶表示パネル１を駆動するための駆動用半導体素子であるソースドライバＩＣ１〜ＩＣ３およびゲートドライバＩＣ４が実装されている。これらの半導体素子は、非表示領域１ｂの所定の位置に形成された図示されない電極端子に、それぞれＣＯＧ方式により実装されている。そして、ソースドライバＩＣ１〜ＩＣ３およびゲートドライバＩＣ４が実装された電極端子からは図示されない複数の配線が延出しており、これらの配線は、液晶表示パネル１の表示領域１ａに配設された図示されないソース線およびゲート線に電気的に接続されている。また、ソースドライバＩＣ１〜ＩＣ３およびゲートドライバＩＣ４が実装された電極端子からは配線２ａ〜２ｉが所定の形状で延出しており、これらの配線２ａ〜２ｉは、非表示領域１ｂにおける所定の位置に形成された図示されないフレキシブル配線板接続用電極端子に電気的に接続されている。一方、フレキシブル配線板３には、液晶表示パネル１の非表示領域１ｂに形成された配線２ａ〜２ｉに電気的に接続し得る配線２ａ’〜２ｉ’が形成されており、配線２ａ’〜２ｉ’の液晶表示パネル１側の端部には、図示されない電極端子が形成されている。そして、液晶表示パネル１とフレキシブル配線板３とは、異方導電性接着剤により相互の対応する電極端子をそれぞれ電気的に接続され、一体化されている。
【０００８】
また、図４に示すように、ハウジング４の所定の位置には、支持部４ａ〜４ｈが形成されている。支持部４ａ〜４ｈは、その断面が矩形状となるよう形成されており、それぞれが同一の高さとなるよう、ハウジング４の所定の位置からＺ軸に平行に突出して形成されている。そして、液晶表示パネル１は、液晶表示パネル１を構成する基板１Ｂの端面ａ〜ｄおよび対向基板１Ａの隣接する端面ｅ〜ｆがハウジング４に形成された支持部４ａ〜４ｈの側壁面に当接することにより、ハウジング４上の所定の位置に配設されている。つまり、液晶表示パネル１は、支持部４ａ〜４ｈによりハウジング４上においてＸ，Ｙ軸方向に固定されている。
【０００９】
一方、図５に示すように、この従来の液晶表示装置Ｌは、主面に平行な方向に光を伝達する矩形の平板状の透明な導光板５を有している。そして、導光板５の一方の端面５ａに沿うようにして、図示されない固定手段により光源６が配設されている。さらに、この光源６を囲み、導光板５の下面および他方の端面５ｂに接するようにして、反射シート７が配設されている。なお、この反射シート７は、ここでは断面が略コの字状となるように光源６を囲んでいる。また、反射シート７は、その一方の端部の接着面８が導光板５に図示されない両面テープにより接着されることにより、導光板５に対して固定されている。つまり、液晶表示装置Ｌにおいては、導光板５の端面５ａに沿って光源６が配されており、光源６、導光板５および反射シート７によってエッジライト方式の照明ユニットＵＴが構成されている。
【００１０】
また、照明ユニットＵＴの下面に接するように、裏面カバー１０が配設されている。この裏面カバー１０は、左右方向に配置された矩形の板状の本体部１０ａと、本体部１０ａの右側および左側の両端からそれぞれ上方向に同一長さとなるよう延出する矩形の板状の垂直部１０ｂおよび１０ｃとを備えて構成されている。すなわち、照明ユニットＵＴは、裏面カバー１０の垂直部１０ｂおよび１０ｃに対してそれぞれ所定の間隔を隔てるようにして、裏面カバー１０の本体部１０ａの上面に接するよう配設されている。そして、裏面カバー１０の垂直部１０ｂおよび１０ｃのそれぞれの左側の側壁面に当接するように、ハウジング４を構成する右側および左側ハウジング４０ａ，４０ｂが、それぞれ配設されている。これらのハウジング４０ａおよび４０ｂは、それぞれ上方向に配置された矩形状の垂直部４０１ａおよび４０１ｂと、それぞれ左右方向に配置された矩形状の水平部４０２ａおよび４０２ｂとを有して構成されている。これらの水平部４０２ａおよび４０２ｂの先端部の下面には、水平部４０２ａから４０２ｂに渡って、光を均一化する矩形の板状の光補正シート９ａが配設されている。また、水平部４０２ａおよび４０２ｂの上面には、水平部４０２ａから４０２ｂに渡って、液晶表示パネル１が配設されている。この液晶表示パネル１は、その所定の領域が水平部４０２ａおよび４０２ｂの上面と接着されることにより、ハウジング４に固定されている。また、水平部４０２ａおよび４０２ｂの所定の位置からは、それぞれ支持部４ａおよび４ｆが上方向に同一長さとなるよう突出して形成されている。そして、液晶表示パネル１は、基板１Ｂの端面ａおよびｃが支持部４ａおよび４ｆの側壁面に当接すると共に、対向基板１Ａの端面ｅが支持部４ａの側壁面に当接することにより、ハウジング４上の所定の位置に配設されている。そして、液晶表示パネル１の非表示領域１Ｂとハウジング４０ａおよび４０ｂとを覆うように、Ｌ字状の断面を有するフロントカバー１１ａおよび１１ｂが配設されている。フロントカバー１１ａは、液晶表示パネル１の上面との間に微小な間隔を隔てかつハウジング４０ｂの垂直部４０１ｂの左側の側壁面との間にも微小な間隔を隔てるよう、支持部４ｆの上面に配設されている。一方、フロントカバー１１ｂは、液晶表示パネル１の上面との間に微小な間隔を隔てかつハウジング４０ａの水平部４０２ａの右側の端面および裏面カバー１０の垂直部１０ｃの右側の側壁面に配設されている。
【００１１】
なお、導光板５は、アクリル樹脂等の材料で形成されている。また、反射シート７は、例えば光反射性を備えた白色の樹脂製のフィルムで構成されている。さらに、ハウジング４は、例えばポリカーボネート等の樹脂で構成されている。
【００１２】
このように構成された液晶表示装置Ｌでは、照明ユニットＵＴは裏面カバー１０によって支持されると共に、裏面カバー１０および光補正シート９ａはハウジング４によって支持される。そして、液晶表示パネル１は、ハウジング４によって好適に支持される。
【００１３】
そして、光源６から発せられた光が導光板５の端面５ａに入射し、導光板５の内部を伝搬してその上面から出射される。この際、導光板５の下面および端面５ｂから洩れた光は反射シート７によって導光板５の内部に戻される。導光板５の上面から出射された光は、光補正シート９ａを通過することにより、強度分布が均一なものとなる。そして、光補正シート９ａを通過した光は液晶表示パネル１を通過し、その際に、液晶表示パネル１の光の透過率が液晶表示パネル１に印加される画像信号に応じて制御され、それにより、液晶表示パネル１の表示領域１ａに画像が表示される。
【発明の開示】
【発明が解決しようとする課題】
【００１４】
しかしながら、このように構成された従来の液晶表示装置では、ハウジング４は樹脂で構成されているため、その機械的強度を満足させるためには、ハウジング４をある程度の肉厚を有するように形成する必要があった。これは、液晶表示装置Ｌに要求される小型化および薄型化に対しての阻害要因であった。そして、近年では、この問題を解決するために、ハウジング４を金属の薄板で形成する構成が試みられている。しかしながら、ハウジング４を金属の薄板で形成した場合には、液晶表示パネル１を金属により直接支持することになる。そして、液晶表示装置Ｌの完成後において、落下等により過度の衝撃応力等が液晶表示パネル１の支持部４ａ〜４ｈと当接する箇所に加わった場合、および液晶表示パネル１を搭載する製造工程の際には、その部分に欠けが発生する危険性がある。そして、液晶表示パネル１の端面に欠けが発生し、非表示領域１ｂに配設された配線２ａ〜２ｉの内の一つでも欠損した場合には、画像信号が正常に伝達されず、液晶表示パネル１に正常な画像が表示されないという新たな問題が発生する。
【課題を解決するための手段】
【００１５】
本発明は、液晶表示装置の小型化および薄型化を図ると共に、落下等により画像表示異常が発生しない、信頼性の高い液晶表示装置を提供することを目的としている。
【００１６】
そして、これらの目的を達成するために、本発明に係る画像表示装置は、基板に一以上の配線を備えた液晶表示パネルと、前記液晶表示パネルの対向する端部を保持する保持部を備えたハウジングとを具備する液晶表示装置において、前記保持部近傍の、前記一以上の配線のうちの最も外側の配線と前記基板の縁との間隔は、前記保持部近傍以外の部分の前記間隔より大きい（請求項１）。
【００１７】
かかる構成とすると、一以上の配線の最も外側の配線が、基板の縁の、保持部により保持される部分から余裕をもって配設されるので、例えば基板の端部が損傷したような場合に、その配線が欠損することを防止することができる。その結果、液晶表示パネルの表示領域に正常な画像が表示されないという不具合を低減することが可能になる。
【００１８】
この場合、前記保持部近傍の前記間隔は、２ｍｍ以上かつ５ｍｍ以下である（請求項２）。
【００１９】
かかる構成とすると、液晶表示装置を通常に使用する限度において、基板に配設された配線が欠損することを防止することができる。その結果、液晶表示パネルの表示領域に正常な画像が表示されないという問題を防止することが可能になる。
【００２０】
上記の場合、前記保持部近傍以外の部分における前記間隔は、２ｍｍ未満である（請求項３）。
【００２１】
かかる構成とすると、基板上に配線を形成する際に、基板の非表示領域を有効に利用することができる。
【００２２】
また、上記の場合、前記液晶表示パネルの縁部には非表示領域が形成されており、前記最も外側の配線が該非表示領域に前記液晶表示パネルの端部に実質的に沿うように配設されている（請求項４）。
【００２３】
かかる構成とすると、例えば基板の端部が損傷したような場合に、最も外側に配設された配線が欠損する確率が高まるので、本発明による効果がより一層高まることになる。
【００２４】
また、上記の場合、前記ハウジングは、金属により形成されている（請求項５）。
【００２５】
かかる構成とすると、ハウジングの厚みを、従来に比べて薄く形成することができる。また、金属は電磁波等のシールド効果も有しているので、光源から発せられる電磁波等の影響により基板に実装されている半導体素子が誤動作することを防止することもできる。
【００２６】
この場合、前記ハウジングは、薄板により形成されている（請求項６）。
【００２７】
かかる構成とすると、液晶表示装置を、従来に比べて小型化および薄型化することができる。また、ハウジングの形成が容易に行え得る。
【００２８】
本発明の上記目的、他の目的、特徴、及び利点は、添付図面参照の下、以下の好適な実施態様の詳細な説明から明らかにされる。
【発明の効果】
【００２９】
本発明は、以上に述べたような手段で実施され、液晶表示装置の小型化および薄型化を図ると共に、落下等により画像表示異常が発生しない、信頼性の高い液晶表示装置を提供することが可能になるという効果が得られる。
【発明を実施するための最良の形態】
【００３０】
以下、本発明の実施の形態について、図面を参照しながら説明する。
【００３１】
図１は、本発明の実施の形態に係る液晶表示装置の構成を示す平面図である。また、図２は、本発明の実施の形態に係る液晶表示装置の構成を拡大して示す平面図である。さらに図３は、図１のI−I線に沿った断面図である。ここで、図１および図２は、フロントカバーを除去した状態を示している。なお、図１および図２においてはＸ，Ｙ，Ｚ軸方向を図のように規定した。また、図３においては、便宜上、液晶表示装置の方向を図に示すように表した。
【００３２】
図１に例示した本発明の実施の形態に係る液晶表示装置Ｌは、印加される画像信号に応じて画像を表示する矩形の液晶表示パネル１と、液晶表示パネル１をＸ，Ｙ，Ｚ軸方向に支持する裏面カバー１２と、液晶表示パネル１に画像信号を伝送するフレキシブル配線板３とを備えて構成されている。
【００３３】
図１に示すように、本発明の実施の形態に係る液晶表示パネル１には、画像を表示する表示領域１ａが設けられている。また、表示領域１ａの外側の領域には、非表示領域１ｂが設けられている。そして、非表示領域１ｂにおける所定の位置には、液晶表示パネル１を駆動するための駆動用半導体素子であるソースドライバＩＣ１〜ＩＣ３及びゲートドライバＩＣ４が実装されている。これらの半導体素子は、非表示領域１ｂの所定の位置に形成された図示されない電極端子に、それぞれＣＯＧ方式により実装されている。そして、ソースドライバＩＣ１〜ＩＣ３およびゲートドライバＩＣ４が実装された電極端子からは図示されない複数の配線が延出しており、これらの配線は、液晶表示パネル１の表示領域１ａに配設された図示されないソース線およびゲート線に電気的に接続されている。また、ソースドライバＩＣ１〜ＩＣ３およびゲートドライバＩＣ４が実装された電極端子からは配線２０ａ，２０ｂおよび２ｃ〜２ｇ，２０ｈ，２０ｉが所定の形状で延出しており、これらの配線２０ａ，２０ｂおよび２ｃ〜２ｇ，２０ｈ，２０ｉは、非表示領域１ｂにおける所定の位置に形成された図示されないフレキシブル配線板接続用電極端子に電気的に接続されている。一方、フレキシブル配線板３には、液晶表示パネル１の非表示領域１ｂに形成された配線２０ａ，２０ｂおよび２ｃ〜２ｇ，２０ｈ，２０ｉに電気的に接続し得る配線２ａ’〜２ｉ’が形成されており、配線２ａ’〜２ｉ’の液晶表示パネル１側の端部には、図示されない電極端子が形成されている。そして、液晶表示パネル１とフレキシブル配線板３とは、異方導電性接着剤により相互の対応する電極端子をそれぞれ電気的に接続され、一体化されている。
【００３４】
ここで、図２を用いて、本発明の実施の形態に係る配線２０ａの形状について、詳細に説明する。図２に示すように、基板１Ｂの非表示領域１ｂに配設された最も外側の配線２０ａは、基板１Ｂの支持部（保持部）１２０ｄに当接しない端面ｂから所定距離Ｈ１を隔てかつ端面ｂに略平行である部分を有して形成されている。また、配線２０ａは、基板１Ｂの支持部１２０ｅ、支持部１２０ｆに当接しない端面ｃから所定距離Ｈ１を隔てかつ端面ｃに略平行である部分をも有して形成されている。しかし、その一方で、この配線２０ａは、基板１Ｂの支持部１２０ｄに当接する端面ｂから所定距離Ｈ１より大きい所定距離Ｈ２を隔てかつ端面ｂに略平行である部分を有して形成されている。また、配線２０ａは、基板１Ｂの支持部１２０ｅに当接する端面ｃから所定距離Ｈ１より大きい所定距離Ｈ２を隔てかつ端面ｃに略平行である部分をも有して形成されている。
【００３５】
また、図１および図２に示すように、本発明の実施の形態において、ハウジングは、金属製の薄板である裏面カバー１２により構成されている。そして、この裏面カバー１２の所定の位置には、支持部１２０ａ〜１２０ｈが形成されている。支持部１２０ａ〜１２０ｈは、裏面カバー１２の側面から凸状に突出するようにして形成されており、それぞれＺ軸方向に同一の長さとなるよう、裏面カバー１２の所定の位置からＸ軸またはＹ軸に平行に突出して形成されている。そして、液晶表示パネル１は、液晶表示パネル１を構成する基板１Ｂの端面ａ〜ｄおよび対向基板１Ａの隣接する端面ｅ〜ｆが裏面カバー１２に形成された支持部１２０ａ〜１２０ｈの側面に当接することにより、裏面カバー１２上の所定の位置に配設されている。つまり、液晶表示パネル１は、支持部１２０ａ〜１２０ｈにより裏面カバー１２上においてＸ，Ｙ軸方向に固定されている。
【００３６】
一方、図３に示すように、本発明の実施の形態に係る液晶表示装置Ｌは、主面に平行な方向に光を伝達する矩形の平板状の透明な導光板５を有している。そして、導光板５の一方の端面５ａに沿うようにして、図示されない固定手段により光源６が配設されている。さらに、この光源６を囲み、導光板５の下面および他方の端面５ｂに接するようにして、反射シート７が配設されている。なお、この反射シート７は、ここでは断面が略コの字状となるように光源６を囲んでいる。また、反射シート７は、その一方の端部の接着面８が導光板５に図示されない両面テープにより接着されることにより、導光板５に対して固定されている。つまり、図３に例示した本発明の実施の形態に係る液晶表示装置Ｌにおいては、導光板５の端面５ａに沿って光源６が配されており、光源６、導光板５および反射シート７によってエッジライト方式の照明ユニットＵＴが構成されている。
【００３７】
また、照明ユニットＵＴの下面に接するように、裏面カバー１２が配設されている。この裏面カバー１２は、左右方向に配置された矩形の板状の本体部１２ａと、本体部１２ａの右側および左側の両端からそれぞれ上方向に同一長さとなるよう延出する矩形の板状の垂直部１２ｂおよび１２ｃとを備えて構成されている。すなわち、照明ユニットＵＴは、裏面カバー１２の垂直部１２ｂおよび１２ｃに対してそれぞれ所定の間隔を隔てるようにして、裏面カバー１２の本体部１２ａの上面に接するよう配設されている。そして、裏面カバー１２の垂直部１２ｂおよび１２ｃには、支持部１２０ａおよび１２０ｆに加え、液晶表示パネル１を下方から支持する支持部１２１ａおよび１２１ｆが形成されている。これらの支持部１２１ａおよび１２１ｆの先端部の下部には、支持部１２１ａおよび１２１ｆに渡って、光を均一化する矩形の板状の光補正シート９ｂが配設されている。また、支持部１２１ａおよび１２１ｆの上部には、支持部１２１ａおよび１２１ｆに渡って、液晶表示パネル１が配設されている。この液晶表示パネル１は、その所定の領域が支持部１２１ａおよび１２１ｆの上部と接着されることにより、裏面カバー１２に固定されている。そして、液晶表示パネル１は、基板１Ｂの端面ａおよびｃが支持部１２０ａおよび１２０ｆの側面に当接すると共に、対向基板１Ａの端面ｅが支持部１２０ａの側面に当接することにより、裏面カバー１２上の所定の位置に配設されている。そして、液晶表示パネル１の非表示領域１ｂと裏面カバー１２ｂおよび１２ｃとを覆うように、Ｌ字状の断面を有するフロントカバー１３ａおよび１３ｂが配設されている。フロントカバー１３ａおよび１３ｂは、液晶表示パネル１の上面との間に微小な間隔を隔てかつ裏面カバー１２の垂直部１２ｂおよび１２ｃに当接するように配設されている。
【００３８】
なお、導光板５は、アクリル樹脂等の材料で形成されている。また、反射シート７は、例えば光反射性を備えた白色の樹脂製のフィルムで構成されている。
【００３９】
このように構成された液晶表示装置Ｌでは、照明ユニットＵＴは裏面カバー１２によって支持される。また、液晶表示パネル１は、裏面カバー１２によって好適に支持される。
【００４０】
そして、光源６から発せられた光が導光板５の端面５ａに入射し、導光板５の内部を伝搬してその上面から出射される。この際、導光板５の下面および端面５ｂから洩れた光は反射シート７によって導光板５の内部に戻される。導光板５の上面から出射された光は、光補正シート９ｂを通過することにより、強度分布が均一なものとなる。そして、光補正シート９ｂを通過した光は液晶表示パネル１を通過し、その際に、液晶表示パネル１の光の透過率が液晶表示パネル１に印加される画像信号に応じて制御され、それにより、液晶表示パネル１の表示領域１ａに画像が表示される。
【００４１】
ここで、本実施の形態では、基板１Ｂの非表示領域１ｂに配設された配線２０ａ，配線２０ｉは、基板１Ｂの支持部１２０ｃ，１２０ｄおよび支持部１２０ｅに当接する端面ｂおよび端面ｃから所定距離Ｈ１より大きい所定距離Ｈ２を隔てかつ端面ｂおよび端面ｃに略平行である部分を有して形成されている。従って、落下等により過度の衝撃応力等が液晶表示パネル１の支持部１２０ａ〜１２０ｈと当接する箇所に加わり、その部分に欠けが発生しても、非表示領域１ｂに配設された配線２０ａ、配線２０ｉが欠損することを防止することができる。また、液晶表示パネル１に加わる衝撃応力等は裏面カバー１２の支持部１２０ａ〜１２０ｈの位置に限定されるため、液晶表示パネル１の欠けが発生する部位を支持部１２０ａ〜１２０ｈを形成する位置により設計的に制御することが可能である。その結果、液晶表示パネル１の表示領域１ａに正常な画像が表示されないという不具合を低減することが可能になる。
【００４２】
これまで、液晶表示装置Ｌの実際の取り扱いを考慮した場合、液晶表示パネル１は、約４０ｃｍ程度の高さから液晶表示装置Ｌを落下させても耐え得る必要があると考えられている。そこで、本発明者は、液晶表示装置Ｌの机上からの落下試験を実施して、裏面カバー１２の支持部１２０ｃ，１２０ｄおよび支持部１２０ｅと液晶表示パネル１内の配線２０ａおよび２０ｉとの隔離距離による画面異常が発生する落下高さの関係について、以下のように確認した。すなわち、所定距離Ｈ２を０．５ｍｍとした場合には、表示異常が発生する高さは２０ｃｍであった。また、所定距離Ｈ２を１ｍｍとした場合には、表示異常が発生する高さは２５ｃｍであった。しかし、所定距離Ｈ２を２ｍｍとした場合には、表示異常が発生する高さは５０ｃｍであった。従って、液晶表示パネル１の表示領域１ａに正常な画像が表示されないという不具合を防止するためには、液晶表示パネル１における所定距離Ｈ２は、少なくとも２ｍｍ以上であればよいことが確認された。そして、所定距離Ｈ２を２ｍｍ以上かつ５ｍｍ以下とすることにより、液晶表示装置Ｌの小型化に有効であるという効果も得られる。
【００４３】
なお、本実施の形態では、液晶パネル１を支持する支持部１２０ａ〜１２０ｈを裏面カバー１２に設けた場合について説明したが、必ずしも裏面カバー１２に設けなくとも、フロントカバーに設けても同様な効果が得られる。また、支持部１２０ａ〜１２０ｈの設置数や位置も、液晶パネル１の位置決めさえ確保できれば、実施に応じ任意である。
【００４４】
また、本実施の形態では、液晶表示パネル１の保持部を基板１Ａおよび基板１Ｂの端面に当接する支持部としたが、保持は、液晶表示パネル１を保持できればよく、例えば液晶表示パネル１を挟持してもよい。
【００４５】
また、本実施の形態では、照明ユニットＵＴを有する液晶表示装置Ｌについて説明したが、反射型の液晶表示装置についても同様に適用可能である。
【００４６】
なお、本実施の形態では、ハウジングとして金属製の裏面カバー１２を用いたものであるが、その他の材料からなるハウジングにおいても本発明は効果を奏する。
【００４７】
上記説明から、当業者にとっては、本発明の多くの改良や他の実施形態が明らかである。従って、上記説明は、例示としてのみ解釈されるべきであり、本発明を実行する最良の態様を当業者に教示する目的で提供されたものである。本発明の精神を逸脱することなく、その構造及び／又は機能の詳細を実質的に変更できる。
【産業上の利用可能性】
【００４８】
本発明に係る液晶表示装置は、民生用及び産業用の液晶表示装置として有用である。
【図面の簡単な説明】
【００４９】
【図１】本発明の実施の形態に係る液晶表示装置の構成を示す平面図である。
【図２】本発明の実施の形態に係る液晶表示装置の構成を拡大して示す平面図である。
【図３】図１のI−I線に沿った断面図である。
【図４】従来の液晶表示装置の構成を示す平面図である。
【図５】図４のIV−IV線に沿った断面図である。
【符号の説明】
【００５０】
１  液晶表示パネル
１ａ  表示領域
１ｂ  非表示領域
１Ａ  対向基板
１Ｂ  基板
２ａ〜２ｉ  配線
２ａ’〜２ｉ’  配線
３  フレキシブル配線板
４  ハウジング
４ａ〜４ｈ  支持部
５  導光板
５ａ，５ｂ  端面
６  光源
７  反射シート
８  接着面
９ａ  光補正シート
９ｂ  光補正シート
１０  裏面カバー
１０ａ  本体部
１０ｂ，１０ｃ  垂直部
１１ａ，１１ｂ  フロントカバー
１２  裏面カバー
１２ａ  本体部
１２ｂ，１２ｃ  裏面カバー
１３ａ，１３ｂ  フロントカバー
２０ａ，２０ｂ  配線
２０ｈ，２０ｉ  配線
４０ａ  右側ハウジング
４０ｂ  左側ハウジング
１２０ａ〜１２０ｈ  支持部
１２１ａ〜１２１ｈ  支持部
４０１ａ，４０１ｂ  垂直部
４０２ａ，４０２ｂ  水平部
ＩＣ１〜ＩＣ３  ソースドライバ
ＩＣ４  ゲートドライバ
ａ〜ｆ  端面
Ｌ  液晶表示装置
ＵＴ  照明ユニット
【図１】
0003657601.tif 000002
【図２】
0003657601.tif 000003
【図３】
0003657601.tif 000004
【図４】
0003657601.tif 000005
【図５】
0003657601.tif 000006